(57)【特許請求の範囲】
【請求項１】
被写体像を撮像してその画像データを得る撮像手段と、
前記撮像手段で得た複数の画像データを格納する格納手段と、
予め前記格納手段に対して複製枚数を設定する第１設定手段と、
前記格納手段に前記第１設定手段により設定された複製枚数に対応するコピーフォルダを生成するコピーフォルダ生成手段と、
前記第１設定手段によって設定された複製枚数に基づいて前記格納手段に格納されている前記複数の画像データを一括して複製する複製手段と、
前記複製手段により複製された画像データを前記コピーフォルダに関連付けて記憶させる記憶制御手段と
を備えたことを特徴とする撮像装置。
【請求項２】
前記格納手段に格納されている複数の画像データの各々に対して複製を行うか否か設定する第２設定手段を更に備え、
前記複製手段は、前記第２設定手段によって複製を行うよう設定された画像データを、前記第１設定手段により設定された設定内容に基づいて複製すること
を特徴とする請求項１記載の撮像装置。
【請求項３】
前記格納手段には複数のフォルダが形成されるとともに、前記複数の画像データはこれら複数のフォルダに格納され、
前記第１設定手段は、前記複数のフォルダごとに複製枚数を設定することを特徴とする請求項１又は２記載の撮像装置。
【請求項４】
被写体像が撮像された複数の画像データを格納する格納部に対し予め複製枚数を設定する第１設定ステップと、
前記格納部に前記第１設定ステップにより設定された複製枚数に対応するコピーフォルダを生成するコピーフォルダ生成ステップと、
前記第１設定ステップにて設定された複製枚数に基づいて前記格納部に格納された前記複数の画像データを一括して複製する複製ステップと、
前記複製ステップにより複製された画像データを前記コピーフォルダに関連付けて記憶させる記憶制御ステップと
を含むことを特徴とする画像印刷枚数の設定方法。
【請求項５】
被写体像が撮像された複数の画像データを格納しておく格納部を備えたデジタルカメラが具備するコンピュータを、
予め前記格納部に対して複製枚数を設定する第１設定手段、
前記格納部に前記第１設定手段により設定された複製枚数に対応するコピーフォルダを生成するコピーフォルダ生成手段、
前記第１設定手段によって設定された複製枚数に基づいて前記複数の画像データを一括して複製する複製手段、
前記複製手段により複製された画像データを前記コピーフォルダに関連付けて記憶させる記憶制御手段、
として機能させることを特徴とする画像印刷枚数設定プログラム。
【発明の詳細な説明】
【０００１】
【発明の属する技術分野】
本発明は、デジタルカメラ等の撮像装置に関し、特に、撮影画像の画像印刷枚数の設定技術に関する。
【０００２】
【従来の技術】
デジタルカメラで撮影した画像は内部メモリ又はコンパクトフラッシュ（登録商標）メモリ（以下、ＣＦメモリと記す）のような着脱可能な保存記憶メモリに保存記憶され、表示画面上に再生表示したり、外部プリンタ装置を用いて印刷出力（プリントアウト）することができる。
【０００３】
撮影画像の印刷出力方法として、従来、▲１▼デジタルカメラから画像をパソコン上に読み込み、印刷出力する方法、▲２▼デジタルカメラとプリンタを直接接続して印刷出力する方法、▲３▼ＣＦメモリ等のメモリカードを着脱可能に構成されたデジタルカメラで、プリントベンダ等にデジタルカメラから取り外したメモリカードを装着して記憶されている撮影画像を印刷出力する方法がある。
【０００４】
所望の撮影画像を所望の枚数分複製する際、上記▲１▼の方法では、パソコン側で読み込んだ撮影画像のサムネイル画像をマルチ表示し、ユーザが印刷したい画像を選択して印刷枚数を指定している。上記▲２▼の方法では、デジタルカメラ側でユーザが所定の操作を行なって撮影画像やサムネイル画像を液晶画像に表示させ、印刷したい撮影画像の選択及び印刷枚数の指定を行なっている。また、上記▲３▼の方法では、ユーザがプリントベンダにメモリカードを装着してから所定の操作を行なって撮影画像やサムネイル画像を液晶画像に表示させ、印刷したい撮影画像の選択及び印刷枚数の指定を行なっている。
【０００５】
【発明が解決しようとする課題】
しかしながら、上記▲１▼の方法ではユーザはパソコン上で所定の操作を行なって撮影画像又はサムネイル画像を再生表示させ、印刷する撮影画像の選択及び印刷枚数の選択を行なう必要があり、パソコンの操作に不慣れなユーザにとっては操作が煩わしいといった問題点があった。
【０００６】
また、上記▲２▼の方法では、印刷の都度、プリンタとカメラを接続してからデジタルカメラ上で所定の操作を行なって撮影画像又はサムネイル画像を再生表示させ、印刷する撮影画像の選択及び印刷枚数の選択を行なう必要があり、操作が煩わしいといった問題点があった。
【０００７】
また、上記▲３▼の方法でも、プリントベンダにメモリカードを装着してから所定の操作を行なって印刷する撮影画像の選択及び印刷枚数の選択を行なう必要があり、▲１▼、▲２▼の場合と同様の問題点があった。
【０００８】
更に、上記▲１▼、▲２▼、▲３▼の方法では、撮影後、時間を経てから操作を行なうので、集合写真では印刷枚数を確認するために再生画像またはサムネイル画像に写っている人数を数える必要があった。
【０００９】
本発明は上記問題点に鑑みてなされたものであり、撮影画像の印刷時に撮影枚数の指定操作なしに所望の撮影画像を所望の枚数分だけ印刷する撮像装置、画像印刷枚数の設定方法及び画像印刷枚数設定プログラムの提供を目的とする。
【００１０】
【課題を解決するための手段】
上記課題を解決するために、第１の発明の撮像装置は、被写体像を撮像してその画像データを得る撮像手段と、前記撮像手段で得た複数の画像データを格納する格納手段と、予め前記格納手段に対して複製枚数を設定する第１設定手段と、前記格納手段に前記第１設定手段により設定された複製枚数に対応するコピーフォルダを生成するコピーフォルダ生成手段と、前記第１設定手段によって設定された複製枚数に基づいて前記格納手段に格納されている前記複数の画像データを一括して複製する複製手段と、前記複製手段により複製された画像データを前記コピーフォルダに関連付けて記憶させる記憶制御手段とを備えたことを特徴とする。
【００１１】
第２の発明は、上記第１の発明の撮像装置において、格納手段に格納されている複数の画像データの各々に対して複製を行うか否か設定する第２設定手段を更に備え、複製手段は、第２設定手段によって複製を行うよう設定された画像データを、第１設定手段により設定された設定内容に基づいて複製することを特徴とする。
【００１２】
第３の発明は、上記第１又は第２の発明の撮像装置において、前記格納手段には複数のフォルダが形成されるとともに、前記複数の画像データはこれら複数のフォルダに格納され、前記第１設定手段は、前記複数のフォルダごとに複製枚数を設定することを特徴とする。
【００１３】
第４の発明は、上記第１乃至第３の発明の撮像装置において、格納手段に第１設定手段により設定された複製枚数に対応するコピーフォルダを生成するコピーフォルダ生成手段と、複製手段により複製された画像データを前記コピーフォルダに関連付けて記憶させる記憶制御手段とを更に備えたことを特徴とする。
【００１４】
第４の発明の画像印刷枚数の設定方法は、被写体像が撮像された複数の画像データを格納する格納部に対し予め複製枚数を設定する第１設定ステップと、前記格納部に前記第１設定ステップにより設定された複製枚数に対応するコピーフォルダを生成するコピーフォルダ生成ステップと、前記第１設定ステップにて設定された複製枚数に基づいて前記格納部に格納された前記複数の画像データを一括して複製する複製ステップと、前記複製ステップにより複製された画像データを前記コピーフォルダに関連付けて記憶させる記憶制御ステップとを含むことを特徴とする。
【００１５】
第５の発明の画像印刷枚数設定プログラムは、被写体像が撮像された複数の画像データを格納しておく格納部を備えたデジタルカメラが具備するコンピュータを、予め前記格納部に対して複製枚数を設定する第１設定手段、前記格納部に前記第１設定手段により設定された複製枚数に対応するコピーフォルダを生成するコピーフォルダ生成手段、前記第１設定手段によって設定された複製枚数に基づいて前記複数の画像データを一括して複製する複製手段、前記複製手段により複製された画像データを前記コピーフォルダに関連付けて記憶させる記憶制御手段、として機能させることを特徴とする。
【００１７】
【発明の実施の形態】
図１は本発明の撮像装置の一実施例の外観（後方からの外観）を示す図であり、撮像装置としてデジタルカメラを例としている。
図１で、デジタルカメラ１００は、カメラ上面にシャッターキー１１を備え、背面中央に液晶表示部１２、背面上部中央に光学ファインダ１３、背面右側上部にパワースイッチ１４、背面左側に上から順にメニュー切換キー１５、十字キー１６及びセットキー１７が設けられ、側部（向かって右側部）にはメモリカード（例えば、ＣＦメモリ）等の交換可能な保存記憶メモリを着脱する保存記憶メモリ着脱部１８が設けられている。
また、図示されていない前面には撮像レンズ部、光学ファインダ窓等が設けられ、図示されていない底面にはバッテリー収納部が設けられている。
【００１８】
図２は、図１に示したデジタルカメラ１００の回路構成の一実施例を示すブロック図であり、デジタルカメラ１００は、処理部２０及び周辺部からなり、処理部２０はＣＰＵ２１、プログラム格納メモリ２２、画像プロセッサ２３、ＪＰＥＧ圧縮部２４、メモリコントローラ２５及びエンコーダ２６を備え、周辺部は操作部３１、撮像部３２、ワークメモリ３３、保存記憶メモリ３４、ＬＣＤドライバ３５、外部インターフェイス３６及び液晶表示部（ＬＣＤ）１２を備えている。また、操作案内や警告を出力する音声出力装置３７を備えるようにしてもよい。また、音声出力装置３７に換えて警告用の点灯ランプ（図示せず）を設けるようにしてもよい。
【００１９】
ＣＰＵ２１はデジタルカメラ１００全体の動作を制御すると共にプログラム格納メモリ２２に格納されている制御プログラム及び各種アプリケーションプログラムにより、ユーザによる選択に基き、本発明の印刷枚数設定機能を含む各種機能を実行する。
【００２０】
プログラム格納メモリ２２はＲＯＭ等のメモリからなり、制御プログラムや本発明の印刷枚数設定機能を実現する印刷枚数設定プログラムのほか、デジタルカメラ１００が備えている各種機能に対応するプログラムや初期設定値、各種画面のフォーマットデータ等を格納している。なお、保存記憶メモリ３４にプログラムを格納するように構成した場合はプログラム格納メモリ２２には制御プログラムのみ又は制御プログラムと基本的なアプリケーションプログラムが格納される。
【００２１】
画像プロセッサ２３は撮像部３２からの信号を処理して画像データを取得し、ワークメモリ３３に書き込む。また、ＪＰＥＧ圧縮部２４は画像プロセッサ２３で得た１フレーム分の画像データをワークメモリから読み出してＪＰＥＧ圧縮する。ＪＰＥＧ圧縮部２４は画像再生時にはメモリコントローラ２５によって保存記憶メモリ３４から読み出された圧縮画像を伸張し、画像データを復元する。
【００２２】
メモリコントローラ２５はＪＰＥＧ圧縮部２４でＪＰＥＧ圧縮された圧縮画像（圧縮画像データ）を保存記憶メモリ３４に書きこむ。また、画像再生時には保存記憶メモリ３４から圧縮画像を読み出す。
【００２３】
エンコーダ２６は撮像時にワークメモリに取りこまれた画像データや、再生時にＪＰＥＧ圧縮部２４により伸張された画像データをビットマップ展開、つまり、イメージデータに変換する。
【００２４】
また、操作部３１は図１で示した各種キー（パワースイッチ１４、メニュー切換キー１５、十字キー１６及びセットキー１７）等を備え、ユーザがそれらのキーを操作するとその操作結果を電気信号（コード或いは状態信号等）に変換してＣＰＵ２１に送出する。また、十字キー１６は十字の上下左右をＵＰキー、ＤＯＷＮキー、ＲＥＶキー、ＦＦキーとし、処理モード毎に所定の機能が割り当てられている。
【００２５】
撮像部３２は撮像レンズ、ＣＤＳ、ＣＣＤ等から構成され、被写体像を取り込んで電気信号に変換し、所定のタイミングで画像プロセッサ２３に与える。また、ワークメモリ３３は画像プロセッサ２３により処理された画像データの一時記憶や、ＪＰＥＧ圧縮／伸張時の作業領域等に用いられる。
【００２６】
保存記憶メモリ３４はメモリカード等の着脱可能なメモリからなり、例えば、図３に示すようなファイル構成で、ＪＰＥＧ圧縮された圧縮画像や圧縮画像に対応付けられたサムネイル画像（縮小画像）等を保存記憶する。なお、保存記憶メモリ３４に画像データと共にプログラムを保存記憶するようにしてもよい。また、保存記憶メモリ３４として本実施例では着脱可能に構成されたメモリカードを用いているが保存記憶メモリ３４は着脱可能なメモリに限定されない。
【００２７】
外部インターフェイス３６はデジタルカメラ１００と外部装置とのデータの送受信を行なうデータインターフェイスであり、ケーブル接続によるデータ送受信、赤外線通信やブルートゥース等の近距離通信又は無線通信によるデータ送受信等、データ送受信の方式に応じたものが備えられている。
【００２８】
図３は保存記憶メモリ３４（以下、メモリカードを例とし、メモリカード３４と記す）に記憶されるファイル構成の一実施例を示す図であり、メモリカード３４に保存記憶される各ファイルはディレクトリ構造を成している。
つまり、図３で、ファイルディレクトリ３４０の最上位（レベル０）のフォルダはＱＶ０１であり、その下（レベル１）のフォルダとしてFolderＡ、・・・Ｄ、FolderＥ、・・が設定されている。また、その下位レベル（レベル２）にコピーフォルダ（Copy１、・・・、Copy５、・・）と圧縮画像ファイルが記憶され、更に、各コピーフォルダの下位レベル（レベル３）に、後述するコピー設定操作によって指定された画像（レベル２の圧縮画像ファイル）をコピーしたコピー画像ファイルがそれぞれ関係付けられて記憶されている。
【００２９】
図３の例で、FolderＡにはコピーフォルダ（Copy１、・・・、Copy５、・・）と保存記憶された各画像（99101001.jpg、・・・、99101008.jpg、・・）ファイルが関係付けられており、更に、コピーフォルダCopy１には画像ファイル99101001.jpg、・・・、99101006.jpgが、コピーフォルダCopy２には画像ファイル99101001.jpg、・・・、99101004.jpgが、コピーフォルダCopy３には画像ファイル99101001.jpg、99101002.jpg、99101003.jpgが、コピーフォルダCopy４には画像ファイル99101001.jpg、99101002.jpgが、コピーフォルダCopy５には画像ファイル99101001.jpgが関係付けられて記憶されている。
【００３０】
以下、上述したデジタルカメラ１００を用いた画像印刷枚数の設定方法（印刷枚数設定モード）の実施例について説明する。なお、下記の各実施例において、ＧＵＩ（ジー・ユー・アイ又はグイ(Graphical User Interfaceの略））はユーザインターフェイスのうち、視覚的な要素を用い、マウスやカーソルキー等のポインティングデバイスで操作を行なう方式の総称である。下記の各実施例では十字キー１６がポインティングデバイスとして用いられ、シャッターキー１１がＯＫキー（確認キー）として用いられ、メニュー切換キー１５が終了キーとして用いられているがこれらに限定されない。
【００３１】
また、下記の各実施例では十字キー１６はコピー機能メニュー選択時にはカーソル移動ボタンとして機能し、ＵＰキー、ＤＯＷＮキー、ＲＥＶキー、ＦＦキーはそれぞれ上方向、下方向、左方向、右方向へのカーソル移動キーを意味する。また、画像選択時には十字キー１６のＲＥＶキー、ＦＦキーは通常のＰＬＹモードと同様、画像戻りキー、画像送りキーに相当する。また、コピー枚数設定時には十字キー１６のＵＰキーを１回押す毎にコピー枚数カウンタに１が加算され、ＤＯＷＮキーを１回押す毎にコピー枚数カウンタから１が差し引かれる。
【００３２】
＜第１の実施例＞：個別枚数設定
図４及び図５は印刷枚数設定モードにおけるＧＵＩの一実施例を示す図である。
図４は枚数設定モード選択画面でのモード選択の一実施例を示す。枚数設定モード選択画面１２０にはコピー（複製）する画像枚数（＝印刷画像枚数）を個々の画像毎に指定する「１．画像コピー（個別）」メニューとコピーする画像枚数を撮影画像についてまとめて指定する「２．画像コピー（一律）」メニュー及びカーソル１２１が表示されている。
ユーザは十字キー１６のＵＰキー又はＤＯＷＮキーを押すことによりカーソル１２１を上下に移動させて所望のメニューを指定することができる。図示の例はカーソル１２１で「１．画像コピー（個別）」メニューを指定した例であり、ユーザがシャッターキー１１を操作すると、「１．画像コピー（個別）」メニューが選択される。
【００３３】
図５は図４で個別枚数設定モードが選択された場合に表示部１２に表示される画像選択／枚数設定画面の一実施例を示す。画像選択／枚数設定画面１３０には再生画像表示欄１３１、画像番号表示欄１３２、コピー枚数設定欄１３３及び操作案内１３４が表示される。
【００３４】
画像選択／枚数設定画面１３０が表示されると今回撮影した最初の画像及び画像番号が画像表示欄１３１及び画像番号表示欄１３２に表示される。ユーザは十字キー１６のＲＥＶキー又はＦＦキーを押すことにより画像表示欄１３１に再生表示される画像の戻し／送りを行なうことができる。従って、ある画像のコピー枚数設定を終え、次の画像のコピー指定を行なう際は所望の画像が表示されるまでＦＦキーを押せば不用の画像はスキップされるので所望の画像の選択を行なうことができる。また、ユーザは十字キー１６のＵＰキー又はＤＯＷＮキーを押すことにより、画像表示欄１３１に表示されている画像のコピー枚数を指定することができる。コピー枚数の指定終了後にユーザがシャッターキー１１を押すと後述（図６）するように選択された画像がメモリカード３４に指定された枚数分コピーされる。なお、図５で画像番号を表示するようにしたが画像番号を表示しないようにしてもよい。
【００３５】
（個別枚数設定モード時のデジタルカメラの動作例）
図６は印刷枚数設定モード時にデジタルカメラの画像選択／枚数設定動作の一実施例を示すフローチャートであり、ステップＳ３以下の動作は個別枚数設定モードが選択された場合の動作例である。
【００３６】
ユーザはデジタルカメラ１００で被写体を撮影した直後又は所望の時期にデジタルカメラ１００で印刷枚数設定モードを選択すると印刷枚数設定プログラムが起動される。ＣＰＵ２１はプログラム格納メモリ２２から前述した図４の枚数設定モード選択画面１２０のフォーマットデータを取り出し、表示部１２に枚数設定モード選択画面１２０を表示させる（ステップＳ１）。
【００３７】
ユーザが十字キー１６のＵＰキー又はＤＯＷＮキーを操作してカーソル１２１を上下に移動させて「１．画像コピー（個別）」メニューを指定し、シャッターキー１１を操作すると「１．画像コピー（個別）」メニューが選択され、操作部３１は「１．画像コピー（個別）」メニューの選択信号をＣＰＵ２１に送出する。なお、ユーザが「２．画像コピー（一律）」メニューを選択した場合は後述する一律枚数設定モードの動作（第２の実施例：図１１）に遷移し、メニュー切換キー１５を押すと画像印刷枚数設定モードを終了する（ステップＳ２）。
【００３８】
ＣＰＵ２１は操作部３１から「１．画像コピー（個別）」メニュー選択信号を受け取ると、プログラム格納メモリ２２から前述した図５の画像選択／枚数設定画面１３０のフォーマットデータを取り出し、表示部１２に画像選択／枚数設定画面１３０を上書き表示させると共に、メモリカード３４から今回撮影した最初の撮影画像（圧縮画像データ）及び画像番号を取り出し、圧縮画像データについてＪＰＥＧ圧縮部２４で伸張処理を施させ、画像データを再生してエンコーダ２６に送り、表示部１２の画像表示欄１３１に再生画像を表示させる。また、この際、画像番号表示欄１３２に画像番号を表示させる（ステップＳ３）。
【００３９】
画像表示欄１３１に表示されている画像をコピー画像として選択しない場合、つまり、表示画像が所望の画像でない場合は、ユーザは十字キー１６のＲＥＶキー又はＦＦキーを操作して画像表示欄１３１に再生画像の戻し／送りを行なう。ＣＰＵ２１はメモリカード３４からＲＥＶキー又はＦＦキーの操作に対応する順序で画像ファイルから圧縮画像データ及び画像番号を取り出し、圧縮画像データを伸張させて画像データを再生し、エンコーダ２６を介して表示部１２の画像表示欄１３１に再生画像を表示させると共に画像番号及びコピー枚数の表示を行なう（ステップＳ４）。
【００４０】
また、画像表示欄１３１に表示された画像をコピー画像として選択した場合はユーザは十字キー１６のＵＰキー又はＤＯＷＮキーを操作して画像表示欄１３１に表示されている画像のコピー枚数を設定する。十字キー１６のＵＰキーが操作されるとＣＰＵ２１はコピー枚数カウンタに１を加え、ＤＯＷＮキーが操作されるとコピー枚数カウンタから１を差し引く。また、ＣＰＵ２１はコピー枚数カウンタの内容（値）を表示部１２に送って画像選択／枚数設定画面１３０のコピー枚数設定欄１３３に表示させる。ユーザはコピー枚数設定欄１３３に表示されるコピー枚数を見て、所望の枚数であればシャッターキー１１を押す。操作部３１はシャッターキー１１が押されるとシャッター操作信号をＣＰＵ２１に送出し、ＣＰＵ２１はシャッター操作信号を受け取るとステップＳ６に遷移する（ステップＳ５）。
【００４１】
上記ステップＳ５でシャッターキー１１が操作されコピー枚数が確定されると、ＣＰＵ２１は指定枚数、つまり、コピー枚数カウンタの値に対応する数だけコピーフォルダを生成し、各コピーフォルダに選択された画像、つまり、再生表示される画像データと同じサイズで画像（圧縮画像データ）を順次コピーして保存記憶する。具体的には、例えば、今回撮影した画像を前述した図３のディレクトリ３４０のFolderＡに記憶されている画像「99101001.jpg」〜「99101008.jpg」としたとき、上記ステップＳ４でユーザが画像「99101001.jpg」を選択し、ステップＳ５でコピー枚数として「５」を指定すると、ディレクトリ３４０のレベル２にコピーフォルダ１〜５が生成される。また、レベル３、つまり、メモリカード３４のコピー画像格納領域に保存記憶されている画像「99101001.jpg」〜「99101008.jpg」がコピーフォルダ１〜５に関連付けられてコピー設定された枚数分コピーされる。なお、新たな画像のコピー枚数が指定された場合で、コピー枚数が現在のコピーフォルダ数より少ない場合は現在のコピーフォルダに関連付けて新たな画像がコピーされ、コピー枚数が現在のコピーフォルダ数より多い場合は現在のコピーフォルダ数を超える分だけ新たなコピーフォルダが生成され、各コピーフォルダに関連付けて新たな画像がコピーされる。また、既にコピー枚数設定済みの画像のコピー枚数が再度指定された場合は更新（コピー画像の削除又は追加）が行なわれる（ステップＳ６）。
【００４２】
コピーが終了すると図５にコピー終了メッセージ、例えば、「この画像の枚数設定は終了しました」が表示（図示略）されるので、ユーザが所定時間（例えば１０秒以内）にメニュー切換キー１５を押すとステップＳ１に戻り、そうでない場合は次の画像選択のためにステップＳ４に戻る（ステップＳ７）。
【００４３】
上記図６のフローチャートに示した動作により、各コピーフォルダに通常のＪＰＥＧ圧縮データを同一名でコピーするので、印刷装置側ではデジタルカメラの機種やメーカによって異なるコピー枚数の指定方法や印刷用出力データの形式等に対応して印刷装置側で用いる印刷ソフト（又は印刷コントローラ）を用意する必要がない。
【００４４】
つまり、予めコピー（焼き増し）したい画像とコピー枚数が決まっているのでデジタルカメラの機種やメーカによって異なる各種フォーマットに関係なく、プリンタやプリントベンダに保存記憶メモリの内容を読み込ませ、フォルダ名を指定するだけで指定された枚数の画像が印刷される。従って、従来のように印刷時に画像を選択したりコピー枚数を設定するという煩わしさがない。また、保存記憶メモリがメモリカード等の着脱可能なメモリの場合はデジタルカメラから取り外したメモリカードをプリンタやプリントベンダにセットし、フォルダ名を指定するだけでよい。
【００４５】
また、上記ステップＳ６で最大コピー枚数分のコピーフォルダを生成し、指定枚数に応じて順次選択された画像をコピーフォルダに関連付けてコピーしているので、印刷時には、図３の例で、コピーフォルダCopy１の画像99101001.jpg、・・・、99101006.jpgが印刷され、次にコピーフォルダCopy２の画像99101001.jpg、・・・、99101004.jpgが印刷され、順次コピーフォルダCopy５の画像99101001.jpgが印刷されるので、印刷された画像（＝写真）を友人等に配る際の分類整理の手間が省かれる。
【００４６】
なお、上記図６のフローチャートではステップＳ１で枚数設定選択画面１２０（図４）を表示し、ステップＳ２でメニューを選択するように構成したが、ステップＳ１、Ｓ２を省略し、印刷枚数設定モードを選択すると上記ステップＳ３で前述した図５の画像選択／枚数設定画面１３０を表示するように構成してもよい。つまり、デジタルカメラ１００の印刷枚数設定モードで個別枚数設定のみを行なうように構成してもよい。
【００４７】
また、上記ステップＳ６で最大コピー枚数分のコピーフォルダを生成し、指定枚数に応じて順次選択された画像をコピーフォルダに関連付けてコピーしたが、画像のコピー方法はこれに限定されない。例えば、選択された画像毎にコピーフォルダを生成し、指定された枚数分の画像をそのフォルダにコピーするようにしてもよい。つまり、指定された画像のコピーフォルダに指定された枚数だけ同一画像をコピーするようにしてもよい。このように構成した場合は、印刷時には選択された各画像毎に指定された枚数分の画像が順次印刷される。
【００４８】
＜第２の実施例＞：一律枚数設定
図７〜図９は印刷枚数設定モードにおけるＧＵＩの一実施例を示す図である。図７は前述した枚数設定モード選択画面１２０（図４）での一律枚数設定モード選択をした例である。一律枚数設定モードではレベル１のフォルダ（図３）単位でコピー枚数を指定できる。また、フォルダ内の画像について印刷するか、しないかを設定できる。
【００４９】
図８は一律枚数設定モードが選択された場合に表示部１２に表示される枚数設定画面の一実施例を示し、枚数設定画面１４０にはフォルダ指定欄１４１、コピー枚数設定欄１４２及びカーソル１４３が表示されている。
【００５０】
フォルダ指定欄１４１にはメモリカード３４にディレクトリ３４０のフォルダ名が表示される。ユーザが十字キー１６のＵＰキー又はＤＯＷＮキーを押すことによりカーソル１４３を上下に移動させて所望のフォルダを指定することができる。図示の例はカーソル１４３でFolderＡを指定した例である。カーソル１４３でフォルダを指定した後、セットキー１７を押すと図９の枚数設定画面１５０（後述）が表示される。
また、コピー枚数設定欄１４２にはフォルダ指定欄１４１の各行に対応する枚数設定行が設けられており、初期値（一律コピー枚数設定前）として「０」が設定されている。ユーザは、フォルダ指定欄１４１でカーソル指定されたフォルダ内の画像のうち図９の枚数設定画面１５０でＯＮ設定された画像の一律コピー枚数を設定できる。ユーザは十字キー１６のＵＰキー又はＤＯＷＮキーを押すことによりコピー枚数を指定し、シャッターキー１１を押すことによりコピー枚数を設定することができる。
【００５１】
なお、フォルダ数がフォルダ指定欄１４１の行数より多い場合はカーソル１４３を最下行に移動させるとフォルダ指定欄１４１に表示されるフォルダ名称とコピー枚数設定欄１４２の設定値が上方に１行ずつスクロール表示される。また、カーソル１４３を一行目に移動させるとフォルダ指定欄１４１に表示されるフォルダ名称とコピー枚数設定欄１４２の設定値が下方に１行ずつスクロール表示される。
【００５２】
図９は画像選択画面の一実施例を示す図であり、図８でフォルダが選択されると画像選択画面１５０が表示される。画像選択画面１５０には再生画像表示欄１５１、画像番号表示欄１５２、コピー設定欄１５３及び操作案内１５４が表示される。
【００５３】
画像選択画面１５０が表示されると、図８の枚数設定画面１４０で指定されたフォルダの画像及び画像番号が画像表示欄１５１及び画像番号表示欄１５２に表示される。ユーザは十字キー１６のＲＥＶキー又はＦＦキーを押すことにより画像表示欄１５１に再生表示される画像の戻し／送りを行なうことができる。従って、ある画像の選択を終え、次の画像の選択を行なう際は所望の画像が表示されるまでＦＦキーを押せば不用の画像はスキップされる。
【００５４】
ユーザがセットキー１７を押すとコピー設定欄１５３に図示のように「ｏｎ」表示がなされ、画像表示欄１５１に表示されている画像がコピーする画像として設定される。なお、画像選択時に、同じ画像に対してもう一度セットキー１７を押すとその画像のコピー設定を取り消すことができるが、図８の枚数設定画面１４０で一律コピー枚数を設定し、コピーフォルダが生成及び画像コピーが行なわれた後に画像選択画面１５０で画像を再生表示した際には画像のコピー設定を取り消すことはできない。なお、図９で画像番号を表示するようにしたが、画像番号表示を行なわないようにしてもよい。
【００５５】
（一律枚数設定モード時のデジタルカメラの動作例）
図１０は一律枚数設定モードでワークメモリ３３に生成されるコピー情報テーブルの一実施例を示す図であり、コピー情報テーブル１１０の各テーブルレコードはレベル１のフォルダ毎に生成され、フォルダ名を記憶するフォルダ名欄１１１、画像コピー済み（値＝１）かそうでないか（値＝０）を区別する画像コピー済フラグ欄１１２、設定されたコピー枚数を記憶するコピー枚数欄１１３からなる。また、コピー枚数欄１１３は少なくとも当該フォルダに属する画像の個数分だけ細分された細分領域１１３−１〜１１３−ｎには初期値として「０」（フラグオフ）が設定されている。また、コピー情報テーブル１１０はメモリカード３４のコピー情報テーブル格納領域に記憶される。
【００５６】
図１１は印刷枚数設定モード時に一律枚数設定モードが選択された場合のデジタルカメラの画像選択／枚数設定動作の一実施例を示すフローチャートである。
【００５７】
前述した図６のフローチャートのステップＳ２で、ユーザが図７に示すように「２．画像コピー（一律）」メニューを選択すると、操作部３１から「２．画像コピー（一律）」メニューの選択信号がＣＰＵ２１に送出される。ＣＰＵ２１は操作部３１から「１．画像コピー（一律）」メニュー選択信号を受け取ると、プログラム格納メモリ２２から前述した図８の枚数設定画面１４０のフォーマットデータを取り出して表示部１２に送って枚数設定画面１４０（初期画面、枚数設定値「０」）を上書き表示させ、フォルダの指定を促すメッセージ（例えば、「新たにコピー枚数を設定するフォルダを指定してください）を重畳表示してユーザにフォルダの指定を促す。なお、この際、既にコピーフォルダに画像をコピー済みのフォルダ（つまり、コピー情報テーブル１１０のコピー済フラグ欄１１２のフラグ値が「１」のフォルダ）についてはメモリカード３４のコピー情報テーブル格納領域に記憶されているコピー情報テーブル１１０からコピー枚数設定値（コピー枚数欄１１３の値）を取り出して各フォルダの対応行に表示させる（ステップＴ１）。
【００５８】
ユーザが十字キー１６のＵＰキー又はＤＯＷＮキーを操作してカーソル１４３を移動させてコピー枚数が設定されていないフォルダを指定し、セットキー１７を押すと指定されたフォルダが選択される（ステップＴ２）。
【００５９】
ＣＰＵ２１はプログラム格納メモリ２２から前述した図９の画像選択画面１５０のフォーマットデータを取り出して表示部１２に送り、画像選択画面１５０を上書き表示させる。また、メモリカード３４から上記ステップＴ２で選択されたフォルダの先頭画像（圧縮画像データ）及び画像番号を取り出し、圧縮画像データについてＪＰＥＧ圧縮部２４で伸張処理を施させ、画像データを再生してエンコーダ２６に送り、画像表示欄１５１に再生画像を表示させ、ユーザによる画像の選択操作を促す。また、この際、画像番号表示欄１５２に画像番号を表示させる（ステップＴ３）。
【００６０】
画像表示欄１５１に表示されている画像をコピー画像として選択する場合はステップＴ５に遷移する。また、コピー画像として選択しない場合、つまり、表示画像が所望の画像でない場合は、ユーザは十字キー１６のＲＥＶキー又はＦＦキーを操作して画像表示欄１５１に再生画像の戻し／送りを行なう。ＣＰＵ２１はメモリカード３４からＲＥＶキー又はＦＦキーの操作に対応する撮影順の撮影画像（圧縮画像データ）及び画像番号を取り出し、圧縮画像データを伸張させて画像データを再生し、エンコーダ２６を介して画像表示欄１５１に再生画像を表示させると共に表示部１２に画像番号を表示させる（ステップＴ４）。
【００６１】
画像表示欄１５１に表示された画像をコピー画像として選択する場合は、ユーザがセットキー１７を操作するとＣＰＵ２１はコピー情報テーブル１１０中のコピー枚数欄１１３のうちレベル２の画像（圧縮画像データ）に対応する細分領域にコピーオンを意味する値（例えば「−１」）を書きこみ、表示部１２に「コピーオン」を意味する文字コードを送ってコピー設定欄１５３に表示させる（ステップＴ５）。
【００６２】
ユーザは指定されたフォルダ内の画像の選択操作を終えた場合にはメニュー切換えキー１５を操作し、そうでない場合は十字キー１６のＲＥＶキー又はＦＦキーを操作する。ＣＰＵ２１は操作部３１から送られる信号を調べ、メニュー切換えキー１５が操作された場合にはこのフォルダのコピー情報テーブル１１０をメモリカード３４のコピー情報テーブル格納領域に書き込んでからステップＴ７に遷移し、十字キー１６が操作された場合にはステップＴ４に戻る（ステップＴ６）。
【００６３】
ＣＰＵ２１はプログラム格納メモリ２２から枚数設定画面１４０のフォーマットデータを取り出し、表示部１２に枚数設定画面１４０を上書き表示させ、一律コピー枚数の設定を促すメッセージ（例えば、「このフォルダの一律コピー枚数を設定してください」）を重畳表示してユーザにフォルダの指定を促す。なお、この際、既にコピー枚数が設定済みのフォルダについてメモリカード３４のコピー情報テーブル格納領域のコピー情報テーブル１１０のコピー枚数欄１１３から設定値を取り出して、コピー枚数設定欄１４２の対応行に表示させる（ステップＴ７）。
【００６４】
ユーザは十字キー１６のＵＰキー又はＤＯＷＮキーを操作して一律コピー枚数を指定する。十字キー１６のＵＰキーが操作されるとＣＰＵ２１はコピー枚数カウンタに１を加え、ＤＯＷＮキーが操作されるとコピー枚数カウンタから１を差し引く。また、ＣＰＵ２１はコピー枚数カウンタの内容（値）を表示部１２に送って枚数設定画面１４０のコピー枚数設定欄１４２に表示させる。ユーザはコピー枚数設定欄１４２に表示されるコピー枚数を見て、所望の枚数であればシャッターキー１１を押す。操作部３１はシャッターキー１１が押されるとシャッター操作信号をＣＰＵ２１に送出し、ＣＰＵ２１はシャッター操作信号を受け取ると、コピー情報テーブル１１０のうち当該フォルダのコピー枚数欄１１３の細分領域１１３−１〜１１３−ｎのうち、コピーオンとされている細分領域（つまり、値＝「−１」の細分領域）に一律設定値を書き込む。図８の例ではFolderＡについて図９でコピーオンとした画像に対応する細分領域に図１０に示すように一律指定枚数として図８で設定された「６」が書き込まれている（ステップＴ８）。
【００６５】
次に、新たに一律コピー枚数を設定するフォルダがあるか否かを問うメッセージ（例えば、「コピー枚数を設定する場合はフォルダを指定してください。また、印刷枚数設定モードを終了する場合はセットキーを押してください」）を表示（図示略）してユーザの操作を促す。ＣＰＵ２１は、また、操作部３１から送られる信号を調べ、セットキー１７が操作された場合にはステップＴ１０に遷移し、十字キー１６が操作された場合にはステップＴ２に戻る（ステップＴ９）。
【００６６】
上記ステップＴ９でセットキー１７が操作されると、ＣＰＵ２１はコピー情報テーブル１１０を検索して、上記ステップＴ２からＴ９の動作で新たにコピー枚数が設定されたフォルダ（つまり、画像コピー済フラグ欄１１２のフラグ＝０のフォルダ）毎にコピー枚数欄１１３に記憶されているコピー枚数の最大値に対応する数だけコピーフォルダを生成し、選択された画像（圧縮画像データ）、つまり、コピー枚数欄１１３の細分領域１１３−１〜１１３−ｎのうちでコピー枚数が設定されている画像ファイルを設定枚数分のコピーフォルダに関連付けてコピー画像記憶領域に順次コピーして保存記憶する。また、そのフォルダについてコピーが終了すると画像コピー済フラグの値をオン（＝「１」）とする（ステップＴ１０）。
【００６７】
コピー枚数が設定された各フォルダについてコピーフォルダの生成及び画像コピーが終了すると図６のステップＳ１に遷移する（ステップＴ１１）。
【００６８】
上記図１１のフローチャートに示した動作により、各フォルダ内の画像のコピー枚数を確認することができる。また、フォルダ内の画像のうちコピー（焼き増し）したい画像を指定すれば一律に同じ数のコピー枚数が設定されるので、コピー指定操作が簡単である。
【００６９】
また、第１の実施例（図６）と同様に圧縮データを同一名でコピーするので、印刷装置側ではデジタルカメラの機種やメーカによって異なるコピー枚数の指定方法や印刷用出力データの形式等に対応して印刷装置側で用いる印刷ソフト（又は印刷コントローラ）を用意する必要がなく、従来のように印刷時に画像を選択してコピー枚数を指定するという煩わしさがない。
【００７０】
また、上記ステップＴ１０で最大コピー枚数分のコピーフォルダを生成し、指定枚数に応じて順次選択された画像をコピーフォルダに関連付けてコピーしているので、印刷された画像（＝写真）を友人等に配る際の分類整理の手間が省かれる。
【００７１】
なお、上記図１１のフローチャートでは図６のステップＳ１で枚数設定モード選択画面１２０（図４）を表示し、ステップＳ２でメニューを選択するように構成したが、第１の実施例と同様、ステップＳ１、Ｓ２を省略し、印刷枚数設定モードを選択すると上記ステップＴ１で図８の枚数設定画面１４０を表示するように構成してもよい。つまり、デジタルカメラ１００の印刷枚数設定モードで一律数設定のみを行なうように構成してもよい。
【００７２】
また、上記ステップＴ１０で最大コピー枚数分のコピーフォルダを生成し、指定枚数に応じて順次選択された画像をコピーフォルダに関連付けてコピーしたが、第１の実施例と同様に、選択された画像毎にコピーフォルダを生成し、指定された枚数分の画像をそのフォルダにコピーするようにしてもよい。
【００７３】
＜第３の実施例＞：メモリオーバー時の動作
上記第１及び第２の実施例では選択された画像を生成されたコピーフォルダに関連付けてコピー設定枚数だけメモリカード３４のコピー画像領域にそのままコピーするので、メモリカードの記憶容量によってはメモリオーバー状態が発生する可能性がある。本実施例では、メモリオーバーが生じた場合にはコピー未完の画像についてコピー未完情報テーブルを生成してコピー未完画像のコピー枚数情報をメモリカードに記憶し、印刷時にメモリ容量が空いた時、このコピー未完情報テーブルを用いて選択済みの画像ファイルをコピーする。
【００７４】
図１２はコピー未完情報テーブルの一実施例を示す図であり、実施例ではコピー未完情報テーブル１９０は図１０に示したコピー情報テーブルと同一構造をなしているがこれに限定されない。図１２で、コピー未完情報テーブル１９０は未コピー画像を含むフォルダの名称を記憶したフォルダ名欄１９１、コピー済みか否かを区別するコピー済フラグ欄１９２及び未完コピー枚数を記憶した未完コピー枚数欄１９３からなり、未完コピー枚数欄１９３は当該フォルダの画像と１対１に対応付けられた細分領域１９１−１〜１９１−ｎからなり、コピー済み画像及びコピー対象として選択されなかった画像については値「０」が記憶され、コピー未完画像については図６のフローチャートのステップＳ５又は図１１のフローチャートのステップＴ８で設定されたコピー枚数が記憶される。また、生成されたコピー未完情報テーブル１９０はメモリカード３４のコピー未完情報格納領域に記憶される。
【００７５】
図１２の例で、未完コピー枚数としてフォルダＫの４番目、５番目及び６番目の画像のコピー枚数「３」が未完コピー枚数欄１９３の細分領域１９１−４、１９１−５、１９１−６に記憶されている。
【００７６】
図１３、図１５は印刷枚数設定モードにおけるＧＵＩの一実施例を示す図であり、図１３は保存記憶メモリが着脱可能なメモリカードの場合にメモリオーバー発生時に表示されるメッセージの一実施例を示し、図１５は保存記憶メモリが固定メモリの場合にメモリオーバー発生時に表示されるメッセージの一実施例を示す。
また、図１４、図１６は画像選択／枚数設定動作時に保存記憶メモリの記憶容量が不足した場合のデジタルカメラの動作の一実施例を示すフローチャートであり、図１４は保存記憶メモリが着脱可能なメモリカードの場合の動作例を示し、図１６は保存記憶メモリがデジタルカメラ１００に内蔵された固定メモリの場合の動作例を示す。
【００７７】
（メモリオーバー発生時の動作）：メモリカードの場合
保存記憶メモリ３４が着脱可能に構成されたメモリカードの場合、第１の実施例又は第２の実施例の画像コピー動作時（図６のステップＳ６、図１１のステップＴ１０）にメモリオーバーが生じるとＣＰＵ２１は図１３に示すような告知画面１６０に警告メッセージ１６１と不足メモリ１６２を表示すると共に、メモリ内の不要な画像データ、例えば、コピー対象としていない画像データや印刷済みのコピー画像に、コピー画像を上書きすることの可否を問うメッセージ１６３、１６４及びカーソル１６５を表示する。なお、画面表示に代えて音声出力装置３７から警告メッセージ等や不用画像上にコピー画像上書きの可否を問うメッセージを所定時間繰り返し出力するように構成してもよい。（ステップＵ１）。
【００７８】
ユーザがカーソル１６５を「上書きＮＯ」に移動させてシャッターボタン１１を押すとステップＵ４に遷移する。また、カーソル１６５を「上書きＯＫ」に移動させてシャッターボタン１１を押すとＣＰＵ２１はコピー対象としていない画像ファイルや印刷済みのコピー画像ファイルを撮影日時順に探して、コピー可能容量を算出し、図６のステップＳ６又は図１１のステップＴ１０と同様に、生成したフォルダに関連付けて上書き記憶する（ステップＵ２）。
【００７９】
上記ステップＵ２で全てコピーできた場合は処理を終了し、メモリが不足している場合、すなわち、まだメモリオーバー状態の場合はステップＵ４に遷移する（ステップＵ３）。
【００８０】
ＣＰＵ２１はメモリオーバーによって未だコピーフォルダに関連付けてコピーされていない画像に係わる情報を記憶したコピー未完情報テーブル１９０（図１２）を生成し、メモリカード３４のコピー未完情報テーブル格納領域に記憶する。ここで、第１の実施例の図６のフローチャートのステップＳ６から上記ステップＵ１に遷移した場合は、先ず、コピー未完情報テーブル１９０の未完コピー枚数欄１９３をゼロクリアし、図６のステップＳ４で選択された画像に対応する細分領域にステップＳ５で設定されたコピー枚数値を記憶し、ステップＳ７に遷移するように構成することによりコピー未完情報テーブル１９０を生成することができる。また、第２の実施例、つまり、図１１のフローチャートのステップＴ１０から上記ステップＵ１に遷移した場合は、図１０に示したコピー情報テーブル１１０のコピー済フラグ欄１１２の値が「０」のフォルダに対応するテーブルデータを抽出し、コピー枚数欄１１３のコピー枚数のうちすでにコピーフォルダと対応付けてコピー済みの画像に対応する細分領域の値を「０」とし、その他の値をそのままコピーすることによりコピー未完情報テーブル１９０を生成することができる（ステップＵ４）。
【００８１】
上記構成により、メモリオーバが生じても、メモリカード３４にコピー未完情報テーブル１９０が記憶されるので、外部プリンタやプリントベンダ側のコントローラに、メモリカード３４をデジタルカメラから取り外してプリンタやプリントベンダにセットして画像の印刷を行なった後、コピー未完情報テーブル１９０の未完コピー枚数欄１９３の未完コピー枚数が記憶されている細分領域に対応するレベル２の画像（コピー未完画像）ファイルを印刷済みの画像のコピー画像ファイル格納領域にコピーする機能（プログラム）を付加しておけば、コピー終了後、引き続いて画像の印刷を行なうことができる。つまり、保存記憶メモリの容量が不足していても、印刷時に所望のコピー枚数分の印刷を画像や枚数の指定操作なしに簡単に行なうことができる。
【００８２】
なお、図１４のフローチャートではステップＵ１でメニューを選択し、Ｕ２でメモリ内の不要な画像ファイル格納領域に印刷設定された画像をコピーするように構成したが、ステップＵ１ではメニュー表示を行なわず、ステップＵ２、Ｕ３を省略してコピー未完情報テーブル１９０の生成のみを行なうよう構成してもよい。
【００８３】
（メモリオーバー発生時の動作）：固定メモリの場合
保存記憶メモリ３４が固定メモリの場合に、第１の実施例又は第２の実施例の画像コピー動作時（図６のステップＳ６、図１１のステップＴ１０）にメモリオーバーが生じると、ＣＰＵ２１は図１５に示すような告知画面１７０に警告メッセージ１７１と不足メモリ容量１７２を表示する。なお、この表示は次ステップ以降でメモリが空いて画像がコピーされるまで所定の時間間隔で表示される。また、画面表示に代えて音声出力装置３７から警告メッセージ及びコピー画像を上書きの可否を問うメッセージを所定時間繰り返し出力するように構成してもよい。また、メモリが空くまでランプを点滅させるようにしてもよい（ステップＶ１）。
【００８４】
ＣＰＵ２１は、図１４のフローチャートのステップＵ４と同様の動作で、メモリオーバーによって未だコピーフォルダに関連付けてコピーされていない画像に係わる情報を記憶したコピー未完情報テーブル１９０（図１２）を生成し、メモリカード３４のコピー未完情報テーブル格納領域に記憶する（ステップＶ２）。
【００８５】
デジタルカメラ１００と外部プリンタやプリントベンダ等の外部画像印刷装置がインターフェイス３６を介して所定のデータ授受方式で接続されていると、ＣＰＵ２１はコピー画像ファイル格納領域に記憶されているコピー画像１枚分の圧縮画像データを読み出し、インターフェイス３６を介して外部画像印刷装置に送信し、コピー画像が１枚分送信されるとその画像分のコピー画像ファイル格納領域が空くのでステップＶ４に遷移する。また、前回ステップＶ４で未完コピー画像の全てについてコピーが終了した場合は処理を終了する（ステップＶ３）。
【００８６】
ＣＰＵ２１はコピー未完情報テーブル１９０の未完コピー枚数欄１９３の未完コピー枚数が記憶されている細分領域に対応するレベル２の画像（コピー未完画像）ファイルを送信済みのコピー画像ファイル格納領域にコピー（上書き記憶）し、ステップＶ３に戻る（ステップＶ４）。
【００８７】
上記構成により、固定メモリの場合にメモリオーバーが生じるとメモリ（カード）にコピー未完情報テーブルが記憶され、デジタルカメラと外部画像印刷装置が接続されてコピー画像が印刷されると空いた領域にコピー未完情報テーブルの情報を元にしてコピー未完画像が順次コピーされるので、保存記憶メモリの容量が不足しても印刷時に所望のコピー枚数分の印刷を画像や枚数の指定操作なしに簡単に行なうことができる。
【００８８】
以上、本発明の一実施例について説明したが本発明は上記実施例に限定されるものではなく、種々の変形実施が可能であることはいうまでもない。
【００８９】
【発明の効果】
本発明によれば、画像データを複製する指定操作が簡単になり、複製した画像データを分類する手間が省ける。
【図面の簡単な説明】
【図１】本発明の撮像装置の一実施例の外観図である。
【図２】デジタルカメラの回路構成の一実施例を示すブロック図である。
【図３】保存記憶メモリのファイル構成の一実施例を示す図である。
【図４】枚数設定モード選択画面でのモード選択の一実施例を示す図である。
【図５】個別枚数設定モードが選択された場合に表示される画像選択／枚数設定画面の一実施例を示す。
【図６】印刷枚数設定モード時のデジタルカメラの画像選択／枚数設定動作の一実施例を示すフローチャートである。
【図７】枚数設定モード選択画面の一実施例を示す図である。
【図８】一律枚数設定モードが選択された場合に表示される枚数設定画面の一実施例を示す図である。
【図９】一律枚数設定モードが選択された場合に表示される画像選択画面の一実施例を示す図である。
【図１０】コピー情報テーブルの一実施例を示す図である。
【図１１】印刷枚数設定モード時のデジタルカメラの画像選択／枚数設定動作の一実施例を示すフローチャートである。
【図１２】コピー未完情報テーブルの一実施例を示す図ある。
【図１３】保存記憶メモリの容量不足発生時に表示部に表示されるメッセージの一実施例を示す図である。
【図１４】保存記憶メモリの記憶容量不足発生時のデジタルカメラの動作の一実施例を示すフローチャートである。
【図１５】保存記憶メモリの容量不足発生時に表示部に表示されるメッセージの一実施例を示す図である。
【図１６】保存記憶メモリの記憶容量不足発生時のデジタルカメラの動作の一実施例を示すフローチャートである。
【符号の説明】
１１  シャッターキー（複製画像設定手段）
１２  表示部（画像再生表示手段）
１６  十字キー（複製画像設定手段、ＧＵＩ）
１７  セットキー（複製画像設定手段、ＧＵＩ）
２１  ＣＰＵ（複製画像生成手段）
２３  画像プロセッサ（画像データ生成手段）
２４  ＪＰＥＧ圧縮部（保存記憶手段、画像再生表示手段）
２５  メモリコントローラ（複製画像生成手段）
３２  撮像部（撮像手段）
３４  保存記憶メモリ、メモリカード（保存記憶手段）
３７  音声出力装置（告知手段）
１００  デジタルカメラ（撮像装置）
１１０  コピー情報テーブル（設定情報記憶手段）
１３０  画像選択／枚数設定画面（複製画像設定手段、ＧＵＩ）
１４０  枚数設定画面（複製画像設定手段）
１５０  画像選択画面（複製画像設定手段）
１６０、１７０  告知画面（告知手段）
１９０  コピー未完情報テーブル（設定情報記憶手段）
【図１】
0004078829.tif 000002
【図２】
0004078829.tif 000003
【図３】
0004078829.tif 000004
【図４】
0004078829.tif 000005
【図５】
0004078829.tif 000006
【図６】
0004078829.tif 000007
【図７】
0004078829.tif 000008
【図８】
0004078829.tif 000009
【図９】
0004078829.tif 000010
【図１０】
0004078829.tif 000011
【図１１】
0004078829.tif 000012
【図１２】
0004078829.tif 000013
【図１３】
0004078829.tif 000014
【図１４】
0004078829.tif 000015
【図１５】
0004078829.tif 000016
【図１６】
0004078829.tif 000017